(57)【特許請求の範囲】
【請求項１】
一枚の箱体形成片から成り、前記箱体形成片には、第一側面板、正面板、第二側面板、背面板が順に互いに平行な折罫線を介して連接され組み立て状態で筒状体を形成し、前記第一側面板、前記正面板、前記第二側面板及び背面板の連接方向に対して直角な一端部に底板片が設けられ、
前記筒状体の下端を前記底板片が閉鎖し、前記筒状体の開口端から商品の出し入れが可能な包装用箱において、
前記正面板内に設けられ、前記連接方向に延びた第一折罫線、及び当該第一折罫線の両端から前記筒状体の上端に至る一対の開封用切込線により区切られた裏板と、
前記正面板内の前記第一折罫線の下方に設けられたＵ字状切込線の内側部分であって、先端部が前記筒状体の上端側を向き、その基端部の幅が互いに近づく方向に狭くなっているＵ字突片と、
前記裏板の前記第一折罫線と反対側の端部に延設され、第二折罫線で区切られた表示板と、
前記表示板の前記第二折罫線と反対側の端部に延設され、第三折罫線で区切られた係合片と、
前記係合片の前記第三折罫線と反対側の端部に形成され、開口部から奥部にかけて幅がハの字状に広くなっている係合部とを備え、
前記係合部は、前記開口部の幅が、前記Ｕ字突片の前記基端部が通過可能に広く、かつ前記Ｕ字突片の前記先端部の幅よりも狭くなっており、
前記一対の開封用切込線と前記Ｕ字状切込線とが破断され、前記Ｕ字突起が前記正面板の内側に押し出され、前記裏板が前記第一折罫線で外側に逆折りされ、前記表示板が前記第二折罫線で正折りされるとともに、前記係合片が前記第三折罫線で正折りされ、前記係合片が前記正面板と前記Ｕ字突起との間に挟まれて位置し、前記Ｕ字突起が前記係合部の奥部に収まって係合することにより、前記表示板が保持されることを特徴とする包装用箱。
【請求項２】
前記Ｕ字突片の前記先端部の幅が、前記係合部の前記奥部の幅と等しく形成されている請求項１記載の包装用箱。
【請求項３】
前記正面板の上端から前記係合片の突端までの寸法が、前記正面板の下端から上端までの寸法よりも長く、前記裏板の、前記正面板の上端位置に、前記裏板を区切る第四折罫線が設けられ、
前記第四折罫線と前記第三折罫線との間隔が、前記正面板の下端から上端までの寸法と等しい請求項１乃至３の何れか記載の包装用箱。
【請求項４】
前記表示板の前記第一折罫線と平行な方向の幅が、前記正面版の幅と等しい請求項１又は２記載の包装用箱。
【請求項５】
前記表示板の前記第一折罫線と平行な方向の幅が、前記一対の開封用切込線の間隔と等しい請求項１又は２記載の包装用箱。
【請求項６】
前記第一折罫線と前記第二折罫線との間隔が、前記第二折罫線と前記第三折罫線との間隔以上に形成されている請求項４記載の包装用箱。
【発明の詳細な説明】
【技術分野】
【０００１】
この発明は、商品包装用の箱であって、商品展示用のディスプレイ箱としても使用できる包装用箱に関する。
【背景技術】
【０００２】
従来、この種の包装用箱として、特許文献１に開示されているように、商品包装用の組み立て状態で矩形の六面体を形成し、商品展示用に組み立てた状態で、宣伝用の文字や絵柄等を表示した表示板を箱体の側面位置に保持するディスプレイ兼用カートンがある。このディスプレイ兼用カートンは、一枚のブランクシートから一体的に打ち抜かれた箱体形成片から成り、正面板の上辺延長上に表示板と係止板とを順に連設し、正面板の下辺から上辺側に離れた位置に下辺と平行な表示部下端横折線を設け、表示板下端横折線に係止溝を刻設し、表示部下端横折線の両端から正面板の上辺に向かって平行に刻設した一対の切目線と表示部下端横折線とで区切られた表示部重合部を形成されている。商品展示用に組み立てるときは、一対の切目線が破断され、表示部重合部が表示部下端横折線で外側に折り返され、表示板が正面板の上辺位置で内側に折り返され、さらに係止板が基端位置で内側に折り返され、係止板が係止溝に深く差し込まれ、表示板が保持される。係止溝に差し込まれた係止板は、係止板の左右側端に設けた一対の係止突起が係止溝の内側端に干渉することによって抜け止めされている。
【０００３】
また、特許文献２に開示されている包装容器は、上記のディスプレイ兼用カートンとほぼ同様の構成を有しているが、商品展示用の組み立て状態で、表示板（第２部位の下部）を保持する際、係止板（第２部位の上部）を正面板（前壁）に固定する構造が異なり、ここでは、複数の構造が開示されている。第一の構造は、一対の切目線（切断案内線）が下方に向かって次第に小さく設けられ、切目線を破断して表示板を抜き出した開口部の両側辺の下端部に、表示板と係止板との境界部を挟み込んで固定することにより、表示板が保持される構造である。第二の構造は、正面板に、表示部下端横折線（第一折曲案内線）の両端から下方向かって延出され、途中で切目線と交差する方向へ屈曲する一対の切り込みが設けられ、この切り込みの内側部分に形成される一対の係止部と正面板との間に係止板を差し込んで挟持し、表示板が保持される構造である。
【先行技術文献】
【特許文献】
【０００４】
【特許文献１】特開２０１１−２３０７７８号公報
【特許文献２】特開平１１−３４８９７３号公報
【発明の概要】
【発明が解決しようとする課題】
【０００５】
しかし、特許文献１に開示されたディスプレイ兼用カートンの場合、商品展示用に組み立てるとき、係止板の係止突起の突出長が長すぎると係止片を係止溝に差し込みにくくなり、短すぎると差し込んだ後の抜け止め効果が弱くなる。従って、差し込みやすく抜けにくいという相反する性能を実現するのが容易ではなかった。
【０００６】
また、特許文献２に開示された包装容器の第一の構造の場合、商品展示用に組み立てるとき、正面板の開口部に表示板又は係止板を進入させるとき、開口部の両側辺が擦れたり変形したりして見栄えが悪くなり、ディスプレイ箱として使えなくなることがあった。また、第二の構造の場合、係止板を係止部と正面板との間に差し込むのは比較的容易であるが、差し込んだ後の抜け止め効果が弱く、係止板が抜けやすいものであった。
【０００７】
この発明は、上記背景技術に鑑みて成されたものであり、展示用のディスプレイ箱として使用でき、組み立てが容易で商品宣伝用の表示板が確実に保持される包装用箱を提供することを目的とする。
【課題を解決するための手段】
【０００８】
この発明は、一枚のブランクシートから一体的に打ち抜かれた箱体形成片から成り、前記箱体形成片には、第一側面板、正面板、第二側面板、背面板が順に互いに平行な折罫線を介して連接され組み立て状態で筒状体を形成し、前記第一側面板、前記正面板、前記第二側面板及び背面板の連接方向に対して直角な一端部に底板片が設けられ、前記筒状体の下端を前記底板片が閉鎖し、前記筒状体の開口端から商品の出し入れが可能な包装用箱であって、前記正面板内に設けられ、前記連接方向に延びた第一折罫線、及び当該第一折罫線の両端から前記筒状体の上端に至る一対の開封用切込線により区切られた裏板と、前記正面板内の前記第一折罫線の下方に設けられたＵ字状切込線の内側部分であって、先端部が前記筒状体の上端側を向き、その基端部の幅が互いに近づく方向に狭くなっているＵ字突片と、前記裏板の前記第一折罫線と反対側の端部に延設され、第二折罫線で区切られた表示板と、前記表示板の前記第二折罫線と反対側の端部に延設され、第三折罫線で区切られた係合片と、前記係合片の前記第三折罫線と反対側の端部に形成され、開口部から奥部にかけて幅がハの字状に広くなっている係合部とを備え、前記係合部は、前記開口部の幅が、前記Ｕ字突片の前記基端部が通過可能に広く、かつ前記Ｕ字突片の前記先端部の幅よりも狭くなっており、前記一対の開封用切込線と前記Ｕ字状切込線とが破断され、前記Ｕ字突起が前記正面板の内側に押し出され、前記裏板が前記第一折罫線で外側に逆折りされ、前記表示板が前記第二折罫線で正折りされるとともに、前記係合片が前記第三折罫線で正折りされ、前記係合片が前記正面板と前記Ｕ字突起との間に挟まれて位置し、前記Ｕ字突起が前記係合部の奥部に収まって係合することにより、前記表示板が保持される包装用箱である。
【０００９】
前記Ｕ字突片の前記先端部の幅が、前記係合部の前記奥部の幅と等しく形成されているものである。
【００１０】
前記正面板の上端から前記係合片の突端までの寸法が、前記正面板の下端から上端までの寸法よりも長く、前記裏板の、前記正面板の上端位置に、前記裏板を区切る第四折罫線が設けられ、前記第四折罫線と前記第三折罫線との間隔が、前記正面板の下端から上端までの寸法と等しいものである。
【００１１】
前記表示板の前記第一折罫線と平行な方向の幅が、前記正面版の幅と等しいものである。又は、前記表示板の前記第一折罫線と平行な方向の幅が、前記一対の開封用切込線の間隔と等しいものである。
【００１２】
前記第一折罫線と前記第二折罫線との間隔が、前記第二折罫線と前記第三折罫線との間隔以上に形成されているものである。
【発明の効果】
【００１３】
この発明の包装用箱は、商品を包装する際に組み立てやすく、商品展示用のディスプレイ箱にする操作も容易である。特に、係合片を正面板とＵ字突起との間に差し込んで係合部をＵ字突起に係合させる操作を、無理なくスムーズに行うことができ、しかも、一旦係合すると係合片が抜けにくく、表示板が確実に保持される。
【００１４】
また、比較的低背の箱体に適用する場合でも、所定の位置に第一乃至第四折罫線を設けることにより、商品包装用の組み立て状態で、裏板、表示板及び係合部が商品収容部の内壁に重なって収まり、商品収容のじゃまにならない。
【図面の簡単な説明】
【００１５】
【図１】この発明の第一実施形態の包装用箱を商品包装用に組み立てた状態を示す平面図（ａ）、正面図（ｂ）、右側面図（ｃ）である。
【図２】この実施形態の包装用箱の箱体形成片を表面側から見た展開図である。
【図３】図２の正面板の拡大図である。
【図４】図１の包装用箱の天板を開いた状態を示す平面図（ａ）、正面図（ｂ）、右側面図（ｃ）である。
【図５】図４の包装用箱のＡ−Ａ断面図である。
【図６】この実施形態の包装用箱を商品展示用に組み立てた状態を示す斜視図である。
【図７】この実施形態の包装用箱を商品展示用に組み立てる際の、係合板の係合部とＵ字突片とが係合する動作を説明する模式図（ａ），（ｂ），（ｃ）である。
【図８】この発明の包装用箱の第二実施形態の箱体形成片を表面側から見た展開図である。
【図９】第二実施形態の包装用箱を商品展示用に組み立てた状態を示す斜視図である。
【図１０】この発明の包装用箱の第三実施形態の箱体形成片を表面側から見た展開図である。
【図１１】第三実施形態の包装用箱を商品展示用に組み立てた状態を示す斜視図である。
【図１２】この発明の包装用箱の第四実施形態の箱体形成片を表面側から見た展開図である。
【図１３】図１２の正面板及の拡大図である。
【図１４】第四実施形態の包装用箱を商品包装用に組み立てた状態を示す部分縦断面図である。
【図１５】第四実施形態の包装用箱を商品展示用に組み立てた状態を示す部分縦断面図である。
【発明を実施するための形態】
【００１６】
以下、この発明の包装用箱の第一実施形態について、図１〜図７に基づいて説明する。図１はこの実施形態の包装用箱１０を商品収納用に組み立てた状態を示したものであり、包装用箱１０は、図２に示す箱体形成片１２を組み立てることによって形成されている。
【００１７】
箱体形成片１２は、厚紙等の一枚のブランクシートを打ち抜いて形成され、第一側面板１４、正面板１６、第二側面板１８、背面板２０が順に連接されている。さらに、組み立て状態で背面板２０の内側に糊付けされる糊付片２２が、第一側面板１４の側方に連接されている。糊付片２２、第一側面板１４、正面板１６、第二側面板１８、背面板２０は、各々折罫線２４，２６，２８，３０で区切られ、組み立て状態で断面矩形の筒状体を形成する。
【００１８】
第一側面板１４の、上記連接方向に対して直角な上端部（図２における上側の端部）に、台形状のフラップ３２が破断線３４で区切られて設けられている。第一側面板１４の破断線３４と反対側の下端部には、組み立て状態で底板の一部となる第一底板片３６が折罫線３８で区切られて設けられている。第一底板片３６の折罫線３８から折罫線３８に対して平行な端部３６ａまでの長さは、正面板１６、背面板２０の各連接方向長さの１／２の幅に設けられている。そして、端部３６ａの中心から糊付片２２側の部分は、端部３６ａよりも外側に幅広に形成された差込片４０となる。また第一底板片３６の正面板１６側の近傍に、三角形の糊付片４２が折罫線４４で区切られて設けられ、折罫線４４は折罫線３８に対して約４５度で交差する方向に設けられている
正面板１６には、上端と下端のほぼ中央に形成された上記連接方向の第一折罫線４６と、第一折罫線４６の両端から正面板１６の上端に向けて略平行に形成され、折罫線２６，２８と平行にやや中央よりに位置した一対の開封用切込線４８とで区切られた裏板５０が設けられている。開封用切込線４８は、切刃などを用いて形成されている。
【００１９】
裏板５０は、一対の開封用切込線４８を延長するように正面板１６の上端から突出し、その先端部に略矩形の表示板５２が第二折罫線５４で区切られて延設されている。表示板５２の表面側には、商品宣伝用の文字や絵柄などが表示されている。表示板５２の第二折罫線５４と反対側の端部には、略矩形の係合片５６が第三折罫線５８で区切られて延設され、係合片５６の第三折罫線５８と反対側の端部に、第三折罫線５８の方向に切り欠いて形成された係合部６２が設けられている。さらに、裏板５０の、正面板１６の上端を延長した位置に、裏板５０を区切る第四折罫線６０が形成されている。以下、第四折罫線６０で区切られた裏板５０の正面板１６側の部分を第一裏板部分５０ａ、表示板５２側の部分を第二裏板部分５０ｂと称す。また、第一乃至第四折罫線４６，５４，５８，６０と重なる位置に、それぞれ切込線４６ａ，５４ａ，５８ａ，６０ａが設けられている。
【００２０】
正面板１６の中央やや下端寄りの位置には、Ｕ字状切込線６４で区切られた内側部分であって、先端部６６ａが係合片５６の側を向き、商品展示用に組み立てた状態で係合片５６の係合部６２と係合するＵ字突片６６が設けられている。また、正面板１６の下端部には、組み立て状態で底板の一部となる三角状の底板フラップ６８が折罫線７０で区切られて設けられている。
【００２１】
正面板１６と表示板５２は、図３に示すように、一対の開封用切込線４８の間隔が、正面板１６の上記連接方向長さよりやや狭いもので、例えば約４／５である。表示板５２の幅は、一対の開封用切込線４８の間隔よりも広く、正面板１６の上記連接方向長さよりも僅かに短い。表示板５２の幅は、正面板１６の幅とほぼ等しく、表示板５２の縦方向長さは、例えば正面板１６の高さの約２／３である。係合片５６の幅は、正面板１６の端縁の一部から延出し上記連接方向長さの例えば約１／２程度である。正面板１６の上端から係合片５６の先端までの長さＢは、正面板１６の下端から上端までの長さＡよりも長く、第四折罫線６０と第三折罫線５８との間隔Ｅが、正面板１６の下端から上端までの長さＡとほぼ等しい。また、第一折罫線４６と第二折罫線５４との間隔Ｃは、第二折罫線５４と第三折罫線５８との間隔Ｄと等しい。なお間隔Ｃは、第二裏板部分５０ｂを表示板５２の方向に大きくした構造であれば、間隔Ｄより広くしても構わない。
【００２２】
係合部６２の凹部状の開口部６２ａの一対の角部、及びＵ字突起６６の先端部６６ａの突端側の一対の角部は、それぞれ適当な曲率で面取りされている。係合部６２は、開口部６２ａから奥部６２ｂにかけて幅がハの字状に広くなっており、ハの字の角度αが約４５度になっている。Ｕ字突片６６は、先端部６６ａに対して、基端部６６ｂの幅がハの字状に狭くなっており、ここでは、ハの字の角度βが、角度αと同様に約４５度になっている。係合部６２の開口部６２ａの幅Ｆａは、Ｕ字突片６６の基端部６６ｂの幅Ｇｂと等しく、かつ先端部６６ａの幅Ｇａよりも狭い。係合部６２の奥部６２ｂの幅Ｆｂは、Ｕ字突片６６の先端部６６ａの幅Ｇａと等しい。
【００２３】
図２に戻って、第二側面板１８の、上記連接方向に対して直角な上端部には、台形状のフラップ７２が破断線７４で区切られて設けられている。第二側面板１８の破断線７４と反対側の下端部には、組み立て状態で底板の一部となる第二底板片７６が折罫線７８で区切られて設けられている。第二底板片７６の折罫線７８から折罫線７８に対して平行な端部７６ａまでの長さは、正面板１６、背面板２０の各連接方向長さの１／２の幅に設けられている。そして、端部７６ａの中心から正面板１６側の部分は、端部７６ａよりも外側に幅広に形成された差込片８０となる。また第二底板片７６の背面板２０側の近傍に、三角形の糊付片８２が折罫線８４で区切られて設けられ、折罫線８４は折罫線７８に対して約４５度に交差する方向に設けられている。
【００２４】
背面板２０の、上記連接方向に対して直角な上端部に、組み立て状態で上蓋となる上蓋片８６と差込片８８とが順に連接され、それぞれ破断線９０、折罫線９２で区切られている。上蓋片８６の破断線９０から折罫線９２までの長さは、第一、第二側面板１４，１８の連接方向長さにほぼ等しく、差込片８８の折罫線９２から先端までの長さは、上蓋片８６の上記長さの例えば１／６程度である。
【００２５】
上蓋片８６は、両側端から内向きに、各々所定長さの折罫線９４が設けられ、折罫線９４の内側の両端を起点として破断線９０の方向に膨らんだ円弧状切込線９６が設けられている。以下、折罫線９４と切込線９６とで区切られた上蓋片８６の背面板２０側の部分を第一上蓋部分８６ａ、差込片８８側の部分を第二上蓋部分８６ｂと称す。第二上蓋部分８６ｂの表面側には商品宣伝用の文字や絵柄など表示されている。
【００２６】
さらに、背面板２０の中央部には、商品展示用に組み立てた状態で差込片８８の先端部が差し込まれて係合するＵ字状切込線９８が設けられている。また、背面板２０の下端部には、組み立て状態で底板の一部となる三角状の底板フラップ１００が折罫線１０２で区切られて設けられている。
【００２７】
次に、この箱体形成片１２を商品包装用に組み立てる方法の一例を説明する。ここで、図２に示す箱体形成片１２は表面側から見たものであり、以下、箱体形成片１２の表面側が凸になる折り方を正折り、裏面側が凸になる折り方を逆折りと称する。
【００２８】
まず、折罫線３８，７０，７８，１０２を正折りし、さらに、糊付片４２の折罫線４４と糊付片８２の折罫線８４をそれぞれ逆折りする。そして、糊付片８２の裏面に糊を塗布し、折罫線３０を正折りする。これにより、糊付片８２の裏面が底板フラップ１００の表面に糊付される。次に、糊付片４２の裏面、及び糊付片２２の表面に糊をそれぞれ塗布し、折罫線２６を正折りする。これにより、糊付片４２の裏面が底板フラップ６８の表面に糊付され、糊付片２２の表面が背面板２０の裏面に糊付される。このようにして箱体形成片１２は折り畳み状態となり、この折り畳んだ状態で出荷される。
【００２９】
次に、商品を包装する工場等において立体的形状に組み立てる。まず、折罫線２４，２８を各々９０度に正折りし、糊付片２２、第一側面板１４、正面板１６、第二側面板１８及び背面２０を四角形の筒状体にする。すると、第一底板片３６は第一側面板１４から底板フラップ６８とともに引き起こされて折罫線３８で直角に正折りされ、同時に第二底板片７６は第二側面板１８から底板フラップ１００とともに引き起こされて折罫線７８で直角に正折りされる。さらに第一底板片３６の差込片４０が第二底板片７６の端部７６ａの裏面側に差し込まれ、第二底板片７６の差込片８０が第一底蓋片３６の端部３６ａの裏面側に差し込まれ、互いに確実に係止されて底板を形成する。
【００３０】
次に、第三折罫線５８を９０度に逆折りし第四折罫線６０を正折りすることによって第二裏板部分５０ｂ、表示板５２及び係合片５６を正面板１６の内側に折り込む。その後、商品を筒状体の上端開口から内側に入れ、破断線３４，７４を９０度に正折りし、フラップ３２，７２を内側に倒す。この状態で、包装用箱１０は、図４、図５に示すように、第二裏板部分５０ｂと表示板５２が正面板１６及び第一裏板部分５０ａの裏面に接するように重なり、係合片５６が底板に接するように重なる。これは、図２で説明した寸法Ａと寸法Ｅがほぼ等しい長さになっているからである。なお、図４、図５では、商品の記載が省略してある。
【００３１】
次に、折罫線９２を９０度に正折りし破断線９０を９０度に正折りして、上蓋片８６で上端開口を塞ぎ、差込片８８を正面板１６とフラップ３２，７２との隙間に差し込むことによって、図１に示すような商品包装用に組み立てられた状態になる。
【００３２】
次に、図１の包装用箱１０を開封し、図６に示す商品展示用の組み立て状態にする操作の一例を説明する。まず、正面板１６の内側に差し込まれた差込片８８を抜き出して上蓋片８６を起立させ、折罫線９４を正折りして、第二上蓋部分８６ｂを第一上蓋部分８６ａに重ね、さらに折罫線９２の折り曲がりを伸ばして差込片８８を下向きにし、その先端部を背面板２０のＵ字状切込線９８に差し込んで係合させる。
【００３３】
次に、フラップ３２，７２を上向きに伸ばして商品を取出し、底板片に重なっている係合片５６を摘んで引き起こし、第四折罫線６０の折り曲がりを伸ばし、第三折罫線５８で係合片５６約９０度回動させて表示板５２とほぼ平行にする。そして、Ｕ字突片６６を外側から押圧し、正面板１６の内側に先端部６６ａを僅かに突出させる。次に、第二折罫線５４を正折りして、係合片５６の係合部６２を正面板１６とＵ字突片６６の上方に回動させる。そして、図７に示すように、係合片５６を正面板１６とＵ字突片６６との間に差し込み、係合部６２をＵ字突片６６の基端部６６ｂに係合させる。この状態で、表示板５２が裏板５０（第一及び第二裏板部５０ａ，５０ｂ）に重なる。
【００３４】
この後、一対の開封用切込線４８を破断しながら第一折罫線４６を逆折りし、表示板５２の表面が外側を向くように下向きに押し下げることにより、表示板５２が斜めになって保持される。この時、表示板５２は一対の開封用切込線４８間の間隔よりも広いが、一対の開封用切込線４８の外側の正面板１６が弾性変形して、表示板５２が外側に回動する。なお、表示板５２の形成順序は、上記以外に、一対の開封用切込線４８を破断した後、第二折罫線５４及び第三折罫線５８を正折りして、係合片５６を正面板１６とＵ字突片６６との間に差し込み、係合部６２をＵ字突片６６の基端部６６ｂに係合させても良い。
【００３５】
ここで、表示板５２が裏板５０に重なるのは、図３で説明した間隔Ｃと間隔Ｄが等しいときであるが、間隔Ｃを間隔Ｄよりも広くしても良く、その場合、表示板５２と裏板５０とが重ならず、第一及び第二裏板部５０ａ，５０ｂが第四折罫線６０で屈曲して隙間が空いた状態になる。
【００３６】
係合片５６の係合部６２とＵ字突片６６が係合する動作は、係合片５６を正面板１６とＵ字突片６６との間に差し入れると、図７（ａ）、（ｂ）に示すように、係合部６２の開口部６２ａの一対の角部が正面板１６とＵ字突片６６の間に入り込み、Ｕ字突片６６を徐々に内側に揺動させる。従って、係合片５６の奥部６２ｂの部分がＵ字突片６６の先端部６６ａにぶつからず、滑らかに下向きに進行する。そして、係合部６２の開口部６２ａがＵ字突片６６の基端部６６ｂに達すると、開口部６２ａの面取りされた一対の角部が基端部６６ｂにガイドされ、基端部６６ｂを過ぎると、図７（ｃ）に示すように、開口部６２ａがＵ字突片６６の外側に露出し、奥部６２ａが基端部６６ｂに係止されて係合状態になる。一旦係合状態になると、係合片５６に上向きの力が働いても、係合部６２のハの字の部分とＵ字突片６６のハの字の部分とが当接するので、係合片５６が抜けにくい。特に、ハの字の部分の角度α，βがほぼ等しく約４５度になっているので、抜け止め効果が大きい。
【００３７】
次に、折罫線３４，７４を正折りしてフラップ３２，７２を内側に倒し、それぞれ第一側面板１４、第二側面板１８に重ねる。
【００３８】
上記の操作により包装用箱１０が商品展示用に組み立てられ、内側に商品を収容し直して展示する。この展示用の状態で、商品宣伝用の文字や絵柄などが印刷された正面板１６の表側面が前方斜め上方を向いて保持され、同じく、第二上蓋部分８６ｂの表側面が前向きに保持され、いずれも目立つ位置にあって周りから見やすく、商品のアピール効果が大きい。
【００３９】
以上説明したように、この実施形態の包装用箱１０は、商品を収容して包装する際に組み立て易く、商品展示用のディスプレイ箱にする操作も容易である。特に、係合片５６を正面板１６とＵ字突起６６との間に差し込んで係合部６２をＵ字突起６６に係合させる操作を、無理なくスムーズに行うことができ、しかも、一旦係合すると係合片５６が抜け出しにくく、表示板５２がしっかり保持される。
【００４０】
なお、包装用箱１０を商品展示用に組み立てる際、フラップ３２，７２を破断線３４，７４で破断して除去してもよい。また、商品の展示スペースが狭く、第二上蓋部分８６ｂを起立させることができないときなどは、上蓋片８６を破断線９０で破断して除去してもよい。
【００４１】
次に、この発明の包装用箱１０の変形例である第二実施形態について、図８、図９に基づいて説明する。ここで、上記と同様の構成は、同一の符号を付して説明を省略する。この実施形態の包装用箱１０は、図８に示す箱体形成片１０４を折り曲げて組み立てられるもので、一対の開封用切込線４８の位置が、折罫線２６，２８と一致しているものである。
【００４２】
これにより、組み立て状体で、図９に示すように、第一側面板１４と第二側面板１８の間に幅広の開口が形成され、一対の開封用切込線４８を破断しながら第一折罫線４６を逆折りして表示板５２を引き出す操作を容易に行うことができる。
【００４３】
次に、この発明の包装用箱１０の他の変形例である第三実施形態について、図１０、図１１に基づいて説明する。ここで、上記と同様の構成は、同一の符号を付して説明を省略する。
【００４４】
この実施形態の包装用箱１０は、図１０に示す箱体形成片１０６を折り曲げて組み立てられるもので、一対の開封用切込線４８の位置が、上記第一実施形態と同様であり、表示板５２の幅も一対の開封用切込線４８の間隔と等しいものである。この構造の場合も、表示板５２が一対の開封用切込線４８の間を通過しやすく、破断しながら第一折罫線４６を逆折りして表示板５２を引き出す操作を容易に行うことができる。しかも、表示板５２を外側に折り曲げた後も正面板１６の両側角部に正面板１６の一部が残り、第一側面板１４と第二側面板１８の折罫線２６，２８側端部が安定し、商品を良好に保持する。
【００４５】
次に、この発明の包装用箱１０の第四実施形態について、図１２〜図１５に基づいて説明する。ここで、上記と同様の構成は、同一の符号を付して説明を省略する。この実施形態の包装用箱は、上記の包装用箱１０の商品収容部を深くしたものであり、商品収納状態及び商品展示用の組み立て状態は、図１及び図６とほぼ同様である。
【００４６】
この実施形態の包装用箱１０は、図２の箱体形成片１２に代えて、図１１に示す箱体形成片１０８を組み立てることによって形成される。箱体形成片１０４は、上記の箱体形成片１２と比較して、糊付片２２、第一側面板１４、正面板１６、第二側面板１８、背面板２０の上端から下端までの長さが長く、正面板１６及びその周辺部分の構成が異なっている。以下、正面板１６及びその周辺部分における構成が異なる点を中心に説明する。
【００４７】
正面板１６には、図１２に示すように、上端と下端のほぼ中央に形成された上記連接方向の第一折罫線４６、及び第一折罫線４６の両端から正面板１６の上端までの略平行な一対の開封用切込線４８により区切られた裏板５０が設けられている。裏板５０は、一対の開封用切込線４８に挟まれた部分のみであり、その先端部に、略矩形の表示板５２が第二折罫線５４で区切られて延設されている。すなわち、正面板１６の上端位置に第二折罫線５４が設けられている。さらに、表示板５２の第二折罫線５４と反対側の端部に、略矩形の係合片５６が第三折罫線５８で区切られて延設され、係合片５６の第三折罫線５８と反対側の端部に、前記第三折罫線の方向に切り欠いて形成された係合部６２が設けられている。裏板５０を区切る第四折罫線は設けられていない。
【００４８】
正面板１６は、図１３に示すように、その上端から係合片５６の先端までの長さＢが、正面板１６の下端から上端までの長さＡよりも短く、第一折罫線４６と第二折罫線５４との間隔Ｃが、第二折罫線５４と第三折罫線５８との間隔Ｄと等しい。その他、係合片５６及び係合部６２、係合突部６６の形状は同様である。
【００４９】
この箱体形成片１２を商品包装用に組み立てる方法は上記とほぼ同様であり、商品を収容する直前の状態で、図１４に示すように、裏板５０全体が正面板１６と一体であり、第二折罫線５４で正折りされた表示板５２、及び表示板５２から真っ直ぐに伸びた係止片５６が、正面板１６及び裏板５０の裏面に重なる。すなわち、この変形例の場合、寸法Ｂが寸法Ａよりも短いので、図５に示すように第三折罫線５８を９０度に折り曲げる必要がない。
【００５０】
商品包装用の組み立て状態から商品展示用に組み立てる操作も上記とほぼ同様であり、展示用に組み立てた状態で、図１５に示すように、表示板５２が第二折罫線５４で正折りされて裏板５０に重なり、係合片５６とＵ字突片６６との係合により表示板５２が斜めに保持される。
【００５１】
以上説明したように、この実施形態は、本発明の技術的思想を、商品収容部の深い包装用箱１０に適用したものであり、図１〜図７で説明した商品収容部が浅い包装用箱１０と同様の作用効果を得ることができる。
【００５２】
なお、この発明の包装用箱は、上記実施形態に限定されるものではない。例えば、商品展示用に組み立てた状態で、表示板が第二折罫線で正折りされ、係合片とＵ字突片との係合により表示板が斜めに保持される構造であれば、第一折罫線と第二折罫線との間隔が、第二折罫線と第三折罫線の間隔よりも長くてもよい。また、表示板の形状は略矩形でなくてもよく、第一乃至第四折罫線、又は第一乃至第三折罫線が互いに平行に設けられ、上記の商品展示用の組み立て状態を実現可能であれば、円形、楕円形等の任意の形状に変更することができる。
【００５３】
また、図３、図１３で説明した角度α，βは、係合片の差し込みやすさと十分な抜け止め効果を実現する上で、互いに等しく３０〜６０度程度にするのが好ましいが、例えば、商品の展示後、上蓋片を閉じて再包装することが想定される場合、係合の解除のしやすさも考慮する必要がある。その場合、係合片の差し込みやすさと抜け止め効果が確保される範囲で、互いに異なる角度α，βに微調整しても良い。
【００５４】
また、第一側面板、正面板、第二側面板、背面板で成る筒状体の下端を底板片で閉鎖する構造は、上記の第一及び第二各底板片３６，７６及び底板フラップ６８，７０を組み合わせたワンタッチ式の構造に限定されず、例えば、上記の上蓋片１８、差込片８８及びフラップ３２，２７を組み合わせた構造、その他の公知の構造に変更することができる。また、上記の上蓋片８６の第二上蓋部分８６ｂを商品宣伝表示用に使用する構造は、例えば、円弧状の部分を他の形状に変更できることは言うまでもなく、円弧状切込線９６を省略し、商品包装用の上蓋としてのみ機能する上蓋片にしてもよい。
【００５５】
また、上記実施形態における各折罫線を破断線にしたり、各破断線を折罫線にしたり、折罫線に重ねた切込線を削除したりすることは自由であり、商品包装用の組み立てやすさ、商品展示用の組み立てやすさ、廃棄時の分解のしやすさ等を考慮して、適宜変更することができる。
【符号の説明】
【００５６】
１０  包装用箱
１２  箱体形成片
１４  第一側面板
１６  正面板
１８  第二側面板
２０  背面板
４６  第一折罫線
４８  開封用切込線
５０  裏板
５２  表示板
５４  第二折罫線
５６  係合片
５８  第三折罫線
６０  第四折罫線
６２  係合部
６２ａ  開口部
６２ｂ  奥部
６４  Ｕ字状切込線
６６  Ｕ字突片
６６ａ  先端部
６６ｂ  基端部
【図１】
0005917224.tif 000002
【図２】
0005917224.tif 000003
【図３】
0005917224.tif 000004
【図４】
0005917224.tif 000005
【図５】
0005917224.tif 000006
【図６】
0005917224.tif 000007
【図７】
0005917224.tif 000008
【図８】
0005917224.tif 000009
【図９】
0005917224.tif 000010
【図１０】
0005917224.tif 000011
【図１１】
0005917224.tif 000012
【図１２】
0005917224.tif 000013
【図１３】
0005917224.tif 000014
【図１４】
0005917224.tif 000015
【図１５】
0005917224.tif 000016